(57)【要約】【課題】セキュリティ性を確保しつつ貨幣処理装置側の操作の容易化を図ることができる貨幣処理システムを提供する。【解決手段】操作者ＩＤ認証手段１８２と操作入力手段１７５，１８１と貨幣処理データを作成する貨幣処理データ作成手段とを有し、貨幣処理データ作成手段が作成した貨幣処理データを送信可能なデータ作成装置２と、データ作成装置２とは別体であって、データ作成装置２から送信された貨幣処理データを受信すると共に、受信した貨幣処理データに基づいて貨幣の処理が可能となる貨幣処理装置４と、を備え、データ作成装置２は、貨幣処理データ作成手段が貨幣処理データを作成した状態で、操作者ＩＤ認証手段１８２で認証された操作者ＩＤが承認許可者ＩＤリストにある場合に、操作入力手段１７５，１８１に承認操作が入力されると、当該貨幣処理データを貨幣処理装置４に送信する。【選択図】図１
2017130145.tif 000002
【特許請求の範囲】
【請求項１】
操作者ＩＤを認証する操作者ＩＤ認証手段と、操作が入力される操作入力手段と、前記操作者ＩＤ認証手段で認証された操作者ＩＤがデータ作成許可者ＩＤリストにある場合に前記操作入力手段への操作入力に基づいて貨幣処理データを作成する貨幣処理データ作成手段と、を有し、該貨幣処理データ作成手段が作成した貨幣処理データを送信可能なデータ作成装置と、
前記データ作成装置とは別体であって、該データ作成装置から送信された貨幣処理データを受信すると共に、受信した貨幣処理データに基づいて貨幣の処理が可能となる貨幣処理装置と、
を備え、
前記データ作成装置は、前記貨幣処理データ作成手段が貨幣処理データを作成した状態で、前記操作者ＩＤ認証手段で認証された操作者ＩＤが承認許可者ＩＤリストにある場合に、前記操作入力手段に承認操作が入力されると、当該貨幣処理データを前記貨幣処理装置に送信することを特徴とする貨幣処理システム。
【請求項２】
前記貨幣処理装置近傍の操作者を撮影する撮影手段と、
該撮影手段の撮影画像を前記データ作成装置の近傍の操作者に向け表示するモニタ手段と、を備えることを特徴とする請求項１記載の貨幣処理システム。
【請求項３】
操作者ＩＤを認証する操作者ＩＤ認証手段と、操作が入力される操作入力手段と、前記操作者ＩＤ認証手段で認証された操作者ＩＤがデータ作成許可者ＩＤリストにある場合に当該操作者ＩＤに関連付けて貨幣処理データを前記操作入力手段への操作入力に基づいて作成する貨幣処理データ作成手段と、を有し、該貨幣処理データ作成手段が作成した貨幣処理データを送信可能なデータ作成装置と、
前記データ作成装置とは別体であって、該データ作成装置から送信された貨幣処理データを受信すると共に、受信した貨幣処理データに基づいて貨幣の処理が可能となる貨幣処理装置と、
前記貨幣処理装置近傍の操作者を撮影する撮影手段と、
該撮影手段の撮影画像から画像解析処理によって操作者を認識し該操作者の操作者ＩＤを特定する操作者ＩＤ画像特定手段と、
を備え、
前記操作者ＩＤ画像特定手段が操作者ＩＤを特定すると、前記貨幣処理装置は、当該操作者ＩＤに関連付けられた貨幣処理データに基づいて貨幣の処理が可能となることを特徴とする貨幣処理システム。
【請求項４】
前記貨幣処理装置は、選択操作が入力される選択操作手段を有しており、
前記操作者ＩＤ画像特定手段が操作者ＩＤを特定すると、前記データ作成装置は、当該操作者ＩＤに関連付けられた貨幣処理データが複数ある場合に、これらの貨幣処理データを前記貨幣処理装置に一括して送信することになり、
前記貨幣処理装置は、これら貨幣処理データの中から前記選択操作手段で選択操作された貨幣処理データに基づいて貨幣の処理が可能となることを特徴とする請求項３記載の貨幣処理システム。
【請求項５】
前記貨幣処理装置は、指定操作および非指定操作が入力される指定操作手段を有しており、
前記操作者ＩＤ画像特定手段が操作者ＩＤを特定すると、前記データ作成装置は、当該操作者ＩＤに関連付けられた貨幣処理データが複数ある場合に、これらの貨幣処理データの中から一つの貨幣処理データを前記貨幣処理装置に送信し、該一つの貨幣処理データに対して前記指定操作手段に非指定操作が入力されると、次の一つの貨幣処理データを前記貨幣処理装置に送信することを順次行うことになり、
前記貨幣処理装置は、前記指定操作手段で指定操作入力がなされた貨幣処理データに基づいて貨幣の処理が可能となることを特徴とする請求項３記載の貨幣処理システム。
【請求項６】
一つの前記貨幣処理装置に貨幣処理データを送信可能な前記データ作成装置が複数設けられており、
前記貨幣処理装置は、選択操作が入力される選択操作手段を有していて、
前記操作者ＩＤ画像特定手段が操作者ＩＤを特定すると、複数の前記データ作成装置が、当該操作者ＩＤに関連付けられた貨幣処理データを前記貨幣処理装置に送信することになり、
前記貨幣処理装置は、これら貨幣処理データの中から前記選択操作手段で選択操作された貨幣処理データに基づいて貨幣の処理が可能となることを特徴とする請求項３記載の貨幣処理システム。
【請求項７】
一つの前記貨幣処理装置に貨幣処理データを送信可能な前記データ作成装置が複数設けられており、
前記貨幣処理装置は、指定操作および非指定操作が入力される指定操作手段を有していて、
前記操作者ＩＤ画像特定手段が操作者ＩＤを特定すると、複数の前記データ作成装置は、当該操作者ＩＤに関連付けられた一つの貨幣処理データを前記貨幣処理装置に送信し、該一つの貨幣処理データに対して前記指定操作手段に非指定操作が入力されると、次の一つの貨幣処理データを前記貨幣処理装置に送信することを順次行うことになり、
前記貨幣処理装置は、前記指定操作手段で指定操作入力がなされた貨幣処理データに基づいて貨幣の処理が可能となることを特徴とする請求項３記載の貨幣処理システム。
【発明の詳細な説明】
【技術分野】
【０００１】
本発明は、貨幣処理システムに関する。
【背景技術】
【０００２】
貨幣処理本体機と貨幣処理端末機とを連携動作させる貨幣処理システムがある（例えば、特許文献１参照）。この種の貨幣処理システムにおいては、特に本体機と端末機とを離れて設置する場合のセキュリティ性確保のために、本体機および端末機の両方で操作者のＩＤ認証を必要とするようになっている。
【先行技術文献】
【特許文献】
【０００３】
【特許文献１】特許第５１９８１５３号公報
【発明の概要】
【発明が解決しようとする課題】
【０００４】
貨幣処理システムにおいては、セキュリティ性を確保しつつ、特に実際に貨幣処理を行う貨幣処理装置側での操作の容易化が求められている。
【０００５】
本発明は、上記の点に鑑みなされたもので、セキュリティ性を確保しつつ貨幣処理装置側の操作の容易化を図ることができる貨幣処理システムの提供を目的とする。
【課題を解決するための手段】
【０００６】
上記目的を達成するために、請求項１に係る発明は、操作者ＩＤを認証する操作者ＩＤ認証手段と、操作が入力される操作入力手段と、前記操作者ＩＤ認証手段で認証された操作者ＩＤがデータ作成許可者ＩＤリストにある場合に前記操作入力手段への操作入力に基づいて貨幣処理データを作成する貨幣処理データ作成手段と、を有し、該貨幣処理データ作成手段が作成した貨幣処理データを送信可能なデータ作成装置と、前記データ作成装置とは別体であって、該データ作成装置から送信された貨幣処理データを受信すると共に、受信した貨幣処理データに基づいて貨幣の処理が可能となる貨幣処理装置と、を備え、前記データ作成装置は、前記貨幣処理データ作成手段が貨幣処理データを作成した状態で、前記操作者ＩＤ認証手段で認証された操作者ＩＤが承認許可者ＩＤリストにある場合に、前記操作入力手段に承認操作が入力されると、当該貨幣処理データを前記貨幣処理装置に送信することを特徴とする。
【０００７】
請求項２に係る発明は、請求項１に係る発明において、前記貨幣処理装置近傍の操作者を撮影する撮影手段と、該撮影手段の撮影画像を前記データ作成装置の近傍の操作者に向け表示するモニタ手段と、を備えることを特徴とする。
【０００８】
請求項３に係る発明は、操作者ＩＤを認証する操作者ＩＤ認証手段と、操作が入力される操作入力手段と、前記操作者ＩＤ認証手段で認証された操作者ＩＤがデータ作成許可者ＩＤリストにある場合に当該操作者ＩＤに関連付けて貨幣処理データを前記操作入力手段への操作入力に基づいて作成する貨幣処理データ作成手段と、を有し、該貨幣処理データ作成手段が作成した貨幣処理データを送信可能なデータ作成装置と、前記データ作成装置とは別体であって、該データ作成装置から送信された貨幣処理データを受信すると共に、受信した貨幣処理データに基づいて貨幣の処理が可能となる貨幣処理装置と、前記貨幣処理装置近傍の操作者を撮影する撮影手段と、該撮影手段の撮影画像から画像解析処理によって操作者を認識し該操作者の操作者ＩＤを特定する操作者ＩＤ画像特定手段と、を備え、前記操作者ＩＤ画像特定手段が操作者ＩＤを特定すると、前記貨幣処理装置は、当該操作者ＩＤに関連付けられた貨幣処理データに基づいて貨幣の処理が可能となることを特徴とする。
【０００９】
請求項４に係る発明は、請求項３に係る発明において、前記貨幣処理装置は、選択操作が入力される選択操作手段を有しており、前記操作者ＩＤ画像特定手段が操作者ＩＤを特定すると、前記データ作成装置は、当該操作者ＩＤに関連付けられた貨幣処理データが複数ある場合に、これらの貨幣処理データを前記貨幣処理装置に一括して送信することになり、前記貨幣処理装置は、これら貨幣処理データの中から前記選択操作手段で選択操作された貨幣処理データに基づいて貨幣の処理が可能となることを特徴とする。
【００１０】
請求項５に係る発明は、請求項３に係る発明において、前記貨幣処理装置は、指定操作および非指定操作が入力される指定操作手段を有しており、前記操作者ＩＤ画像特定手段が操作者ＩＤを特定すると、前記データ作成装置は、当該操作者ＩＤに関連付けられた貨幣処理データが複数ある場合に、これらの貨幣処理データの中から一つの貨幣処理データを前記貨幣処理装置に送信し、該一つの貨幣処理データに対して前記指定操作手段に非指定操作が入力されると、次の一つの貨幣処理データを前記貨幣処理装置に送信することを順次行うことになり、前記貨幣処理装置は、前記指定操作手段で指定操作入力がなされた貨幣処理データに基づいて貨幣の処理が可能となることを特徴とする。
【００１１】
請求項６に係る発明は、請求項３に係る発明において、一つの前記貨幣処理装置に貨幣処理データを送信可能な前記データ作成装置が複数設けられており、前記貨幣処理装置は、選択操作が入力される選択操作手段を有していて、前記操作者ＩＤ画像特定手段が操作者ＩＤを特定すると、複数の前記データ作成装置が、当該操作者ＩＤに関連付けられた貨幣処理データを前記貨幣処理装置に送信することになり、前記貨幣処理装置は、これら貨幣処理データの中から前記選択操作手段で選択操作された貨幣処理データに基づいて貨幣の処理が可能となることを特徴とする。
【００１２】
請求項７に係る発明は、請求項６に係る発明において、一つの前記貨幣処理装置に貨幣処理データを送信可能な前記データ作成装置が複数設けられており、前記貨幣処理装置は、指定操作および非指定操作が入力される指定操作手段を有していて、前記操作者ＩＤ画像特定手段が操作者ＩＤを特定すると、複数の前記データ作成装置は、当該操作者ＩＤに関連付けられた一つの貨幣処理データを前記貨幣処理装置に送信し、該一つの貨幣処理データに対して前記指定操作手段に非指定操作が入力されると、次の一つの貨幣処理データを前記貨幣処理装置に送信することを順次行うことになり、前記貨幣処理装置は、前記指定操作手段で指定操作入力がなされた貨幣処理データに基づいて貨幣の処理が可能となることを特徴とする。
【発明の効果】
【００１３】
請求項１に係る発明によれば、データ作成装置において、操作者ＩＤ認証手段がデータ作成許可者ＩＤリストにある操作者ＩＤを認証すると、貨幣処理データ作成手段が、操作入力手段への操作入力に基づいて貨幣処理データを作成する。データ作成装置は、このように貨幣処理データ作成手段が貨幣処理データを作成した状態で、操作者ＩＤ認証手段が承認許可者ＩＤリストにある操作者ＩＤを認証し、その上で、操作入力手段に承認操作が入力されると、貨幣処理データを、データ作成装置とは別体の貨幣処理装置に送信する。すると、貨幣処理装置は、この貨幣処理データを受信し、この貨幣処理データに基づいて貨幣の処理が可能となる。つまり、データ作成装置においてデータ作成許可者ＩＤリストにある操作者ＩＤのデータ作成者が貨幣処理データを作成した後、データ作成装置において承認許可者ＩＤリストにある操作者ＩＤの承認者が承認操作を行うと、貨幣処理装置が、作成された貨幣処理データに基づく貨幣の処理が可能な状態となる。よって、貨幣処理装置における操作者ＩＤの認証操作を省いて操作を容易化しても、データ作成装置において承認許可者ＩＤリストにある操作者ＩＤの承認者が承認操作を行うことになる。このため、セキュリティ性を確保しつつ貨幣処理装置側の操作の容易化を図ることができる。
【００１４】
請求項２に係る発明によれば、撮影手段が、貨幣処理装置近傍の操作者を撮影すると、モニタ手段が、この撮影手段の撮影画像をデータ作成装置の近傍の操作者に向けて表示するため、データ作成装置において承認操作を行う承認者は、貨幣処理装置近傍の操作者の状況をモニタ手段の画像で確認した上で、承認操作を行うことができる。したがって、データ作成装置の承認者が、貨幣処理装置近傍の操作者の状況を容易に確認できるため、データ作成装置での承認者による確認作業が容易となる。
【００１５】
請求項３に係る発明によれば、データ作成装置において、操作者ＩＤ認証手段がデータ作成許可者ＩＤリストにある操作者ＩＤを認証すると、貨幣処理データ作成手段が、この操作者ＩＤに関連付けて貨幣処理データを、データ作成者による操作入力手段への操作入力に基づいて作成する。また、撮影手段は、貨幣処理装置近傍のデータ作成者を撮影し、その撮影画像から操作者ＩＤ画像特定手段が画像解析処理によって操作者を認識し該操作者の操作者ＩＤを特定する。すると、貨幣処理装置は、当該操作者ＩＤに関連付けられた貨幣処理データに基づいて貨幣の処理が可能となる。つまり、データ作成装置においてデータ作成許可者ＩＤリストにある操作者ＩＤのデータ作成者が貨幣処理データを作成した後、このデータ作成者が貨幣処理装置の近傍に行くと、このデータ作成者を撮影手段および操作者ＩＤ画像特定手段が画像認証することになり、その結果、貨幣処理装置は、このデータ作成者が作成した貨幣処理データに基づく貨幣の処理が可能な状態となる。よって、貨幣処理装置において、操作者ＩＤの認証操作を省いて操作を容易化しても、画像認証で操作者を特定し、特定された操作者が作成した貨幣処理データに基づく貨幣の処理が可能となる。このため、セキュリティ性を確保しつつ貨幣処理装置側の操作の容易化を図ることができる。
【００１６】
請求項４に係る発明によれば、操作者ＩＤ画像特定手段が操作者ＩＤを特定すると、データ作成装置は、当該操作者ＩＤに関連付けられた貨幣処理データが複数ある場合に、これらの貨幣処理データを貨幣処理装置に一括して送信する。すると、貨幣処理装置は、これら貨幣処理データの中から選択操作手段で選択操作された貨幣処理データに基づいて貨幣の処理が可能となる。よって、データ作成者が複数の貨幣処理データを作成しても、適宜のものを選択して貨幣処理装置に処理させることができる。
【００１７】
請求項５に係る発明によれば、操作者ＩＤ画像特定手段が操作者ＩＤを特定すると、データ作成装置は、当該操作者ＩＤに関連付けられた貨幣処理データが複数ある場合に、これらの貨幣処理データの中から一つの貨幣処理データを貨幣処理装置に送信し、この一つの貨幣処理データに対して指定操作手段に非指定操作が入力されると、次の一つの貨幣処理データを貨幣処理装置に送信することを順次行うことになり、貨幣処理装置は、指定操作手段で指定操作入力がなされた貨幣処理データに基づいて貨幣の処理が可能となる。よって、データ作成者が複数の貨幣処理データを作成しても、適宜のものを選択して貨幣処理装置に処理させることができる。
【００１８】
請求項６に係る発明によれば、一つの貨幣処理装置に貨幣処理データを送信可能なデータ作成装置が複数設けられているため、複数のデータ作成装置に、操作者ＩＤ画像特定手段で特定された操作者ＩＤに関連付けられた貨幣処理データが複数存在する場合がある。その場合、操作者ＩＤ画像特定手段が操作者ＩＤを特定すると、複数のデータ作成装置は、当該操作者ＩＤに関連付けられた貨幣処理データを貨幣処理装置に送信することになり、貨幣処理装置は、これら貨幣処理データの中から選択操作手段で選択操作された貨幣処理データに基づいて貨幣の処理が可能となる。よって、データ作成者が複数のデータ作成装置で複数の貨幣処理データを作成しても、適宜のものを選択して貨幣処理装置に処理させることができる。
【００１９】
請求項７に係る発明によれば、一つの貨幣処理装置に貨幣処理データを送信可能なデータ作成装置が複数設けられているため、複数のデータ作成装置に、操作者ＩＤ画像特定手段で特定された操作者ＩＤに関連付けられた貨幣処理データが複数存在する場合がある。その場合、操作者ＩＤ画像特定手段が操作者ＩＤを特定すると、複数のデータ作成装置は、当該操作者ＩＤに関連付けられた複数の貨幣処理データの中から一つの貨幣処理データを貨幣処理装置に送信し、この一つの貨幣処理データに対して指定操作手段に非指定操作が入力されると、次の一つの貨幣処理データを貨幣処理装置に送信することを順次行うことになり、貨幣処理装置は、指定操作手段で指定操作入力がなされた貨幣処理データに基づいて貨幣の処理が可能となる。よって、データ作成者が複数のデータ作成装置で複数の貨幣処理データを作成しても、適宜のものを選択して貨幣処理装置に処理させることができる。
【図面の簡単な説明】
【００２０】
【図１】本発明の第１実施形態に係る貨幣処理システムを示す構成図である。
【図２】本発明の第１実施形態に係る貨幣処理システムを示すブロック図である。
【図３】本発明の第１実施形態に係る貨幣処理システムの現金管理装置を構成する小束収納庫を示す斜視図である。
【図４】本発明の第１実施形態に係る貨幣処理システムの現金管理装置を構成する棒金収納庫を示す斜視図である。
【図５】本発明の第２実施形態に係る貨幣処理システムを示す構成図である。
【図６】本発明の第２実施形態に係る貨幣処理システムを示すブロック図である。
【図７】本発明の第３，第４実施形態に係る貨幣処理システムを示す構成図である。
【図８】本発明の第３，第４実施形態に係る貨幣処理システムを示すブロック図である。
【発明を実施するための形態】
【００２１】
［第１実施形態］
本発明の第１実施形態に係る貨幣処理システムを図１〜図４を参照して以下に説明する。
【００２２】
第１実施形態に係る貨幣処理システム１は、銀行等の金融機関の店舗に設置されるものであり、図１に示すように、出納機２（データ作成装置）と、現金管理装置４（貨幣処理装置）とを有している。出納機２と現金管理装置４とは別体であり、離れて設置可能である。
【００２３】
出納機２は、金融機関等の店舗の建屋の例えば執務室のフロア上に設置されるものであり、店舗全体の貨幣の全体在高データを管理する貨幣管理親機となっている。出納機２は、貨幣の入出金が可能であり、自身に収納している貨幣および小切手等の在高である出納機在高データを記憶している。この出納機在高データは、出納機２で行われる貨幣の入出金処理によって増減する。
【００２４】
現金管理装置４は、貨幣の手作業による入庫および出庫が可能な貨幣入出庫装置である。現金管理装置４は、出納機２によって在高が管理される下位機としての貨幣管理子機となっている。現金管理装置４は、貨幣および小切手等を取り出し可能に収納し自身に収納している貨幣および小切手等の在高である管理装置在高データを記憶している。この管理装置在高データは、現金管理装置４における貨幣の入出庫処理によって増減する。現金管理装置４は、無線または有線で出納機２と通信可能であり、管理装置在高データを出納機２に送信可能となっている。現金管理装置４には、他との識別のための管理装置識別情報データが個別に設定されている。
【００２５】
図１に示すように、現金管理装置４は、箱型の現金管理装置本体１１と、この現金管理装置本体１１に上下方向に複数段具体的には８段設けられた収納庫１２とを有している。これら収納庫１２は、その左右側壁に設けられたスライドレール１３を介して現金管理装置本体１１に対して水平前後方向にスライド開閉可能となっている。これら収納庫１２は、現金管理装置本体１１から引き出されてアクセス可能な開状態となり、現金管理装置本体１１に押し込まれてアクセス不可な閉状態となる。すべての収納庫１２が、このように前後方向にのみ所定範囲で移動可能となるように現金管理装置本体１１に連結されている。これら収納庫１２は、開状態で現金が出し入れ可能となる一方、閉状態では現金の出し入れが不可となる。現金管理装置４において収納庫１２の引き出し方向の手前側の面が操作者側の装置前面となっている。
【００２６】
複数段の収納庫１２のうち、最も上側の収納庫１２は、予備収納庫１２（ａ）となっている。予備収納庫１２（ａ）は、結束されていないバラ紙幣、包装されていないバラ硬貨、汚損紙幣や汚損硬貨、金券等を収納する。残りの収納庫１２うち上側４段は、小束紙幣を収納する小束収納庫１２（ｂ）となっている。さらに、残りの収納庫１２のうち下側３段は、棒金を収納する棒金収納庫１２（ｃ）となっている。ここで、収納庫１２の全体の数や、そのうちの小束収納庫１２（ｂ）および棒金収納庫１２（ｃ）の個々の数等は任意に設定可能であり、例えば、予備収納庫１２（ａ）以外の全てを、棒金収納庫１２（ｃ）とすることも可能であるし、予備収納庫１２（ａ）以外の全てを小束収納庫１２（ｂ）とすることも可能である。さらには、予備収納庫１２（ａ）以外の収納庫１２のうちの上側３段を棒金収納庫１２（ｃ）としつつ、下側４段を小束収納庫１２（ｂ）とすることも可能である。また、予備収納庫１２（ａ）以外の収納庫１２が、その１段において小束紙幣と棒金の両方を収納することも可能である。加えて、小束紙幣においては、小束紙幣を１０束重ねて結束された大束紙幣を収納することも可能であり、棒金においては、複数本例えば１０本の棒金を樹脂製材でパックしたパック状棒金を収納することも可能である。
【００２７】
現金管理装置本体１１の上部には、揺動可能なタッチパネル式の管理装置操作表示部１６が設けられており、管理装置操作表示部１６よりも装置前面側に、管理装置カードリーダ１７と、テンキーを含む管理装置キー操作部１８と、プリンタ１９と、音声発生部２０とが設けられている。管理装置操作表示部１６は、操作者により操作入力が行われると共に操作者に表示を行うものであり、管理装置カードリーダ１７は操作者により通されたカードから記憶データを読み取るものである。プリンタ１９は、データを紙面への印字により出力するものであり、音声発生部２０は、操作者に対して音声を出力するものである。
【００２８】
現金管理装置本体１１には、全ての収納庫１２のそれぞれに対して、収納庫１２を閉状態で個別にロックする図２に示す収納庫ロック機構２２が設けられている。言い換えれば、収納庫ロック機構２２は、複数の収納庫１２のそれぞれに設けられて収納庫１２を現金管理装置本体１１に閉状態でロックする。図１に示すように、現金管理装置本体１１には、複数の収納庫１２のそれぞれの側方に、収納庫ロック機構２２のロック解除時のみ点灯する表示灯２３が設けられている。
【００２９】
現金管理装置本体１１には、図２に示すように、管理装置操作表示部１６、管理装置カードリーダ１７、管理装置キー操作部１８、プリンタ１９、音声発生部２０、収納庫ロック機構２２および表示灯２３に接続されてこれらを制御する管理装置制御部２５と、収納しているバラ紙幣、バラ硬貨、棒金、小束紙幣および小切手等のそれぞれの数量情報および種類情報や処理関連のデータ等を記憶する管理装置記憶部２６と、が設けられている。管理装置制御部２５は、複数の収納庫ロック機構２２のロックを個別に解除可能となっており、管理装置記憶部２６を用いて複数の収納庫１２の現金の収納量つまり在高を個別に管理する。
【００３０】
各収納庫１２と現金管理装置本体１１との間には、現金管理装置本体１１に対する各収納庫１２の引き出し位置を検出する引出位置検出機構３５が設けられている。引出位置検出機構３５は、各収納庫１２が現金管理装置本体１１に最も押し込まれた全閉位置にあること、および、収納庫１２が現金管理装置本体１１から最も引き出された全開位置にあることを含んで各収納庫１２の引き出し位置を検出する。
【００３１】
図３に示すように、小束収納庫１２（ｂ）は、結束された小束紙幣Ｔを入出庫可能に収納するもので、複数、具体的には前後に５つ左右に２列の合成樹脂製の小束トレイ４０を有している。小束紙幣Ｔは、単一金種の紙幣（貨幣）を所定枚数（１００枚）集積し、規定位置に結束テープｔを巻回して、この結束テープｔを接着することで形成されるものである。
【００３２】
各小束トレイ４０は、上方に開口し下方に凹む形状をなすトレイ本体４１と、トレイ本体４１に、その後壁部４２と平行を維持しつつ前後移動可能に設けられた札押さえ板４３と、札押さえ板４３を後壁部４２に向けて付勢する図示略の付勢部材とを有している。各小束トレイ４０には、小束紙幣Ｔが、その長辺方向を左右にし短辺方向を上下にし厚さ方向を前後にした立位状態で、上方から挿入されることになり、小束紙幣Ｔは、この立位状態のまま、底部に載置され、後壁部４２と札押さえ板４３とに挟持されて収納されることになる。各小束トレイ４０に収納すべき設定金種を示す収納金種データは、予め設定されて管理装置記憶部２６に記憶されることになる。
【００３３】
図４に示すように、棒金収納庫１２（ｃ）は、単一金種の硬貨（貨幣）が所定枚数（５０枚）集積されて包装紙で包装されてなる棒金Ｂを入出庫可能に収納するもので、複数、具体的には、前後に金種径に応じて６つまたは５つ、左右に４列の合成樹脂製の棒金トレイ５０を有している。
【００３４】
棒金トレイ５０は、棒金Ｂが中心軸線を上下にした立位状態で収納されるものである。棒金トレイ５０は、下方に凹む上方開口形状の棒金収納凹部５１を構成している。棒金トレイ５０の棒金収納凹部５１には、合計１０本の棒金Ｂが収納されるようになっている。棒金Ｂは、棒金収納凹部５１に、その上部開口を介して上方から挿入されることになる。棒金収納凹部５１に１０本の棒金Ｂが収納されると、１０本の棒金Ｂは棒金収納凹部５１および他の棒金Ｂで支持されて中心軸線を鉛直配置した立位状態に維持される。ここで、最前列の棒金トレイ５０は、端数用となっており、棒金Ｂの転倒防止用の複数の補助棒５２が立設されていて、収納本数が不足した状態でも棒金Ｂを倒さずに収納可能となっている。各棒金トレイ５０に収納すべき設定金種を示す収納金種データは、予め設定されて管理装置記憶部２６に記憶されることになる。なお、棒金トレイ５０の棒金収納凹部５１には、合計１０本の棒金Ｂが収納されるようになっていることに限られず、５本ずつの棒金Ｂを収納する棒金収納凹部が２組設けられた構成とされていても良いし、他の本数単位で収納するものであっても良い。
【００３５】
現金管理装置本体１１の各小束収納庫１２（ｂ）が挿入される部分の上部の前端部には、小束収納庫１２（ｂ）の左右２列の小束トレイ４０のそれぞれの上方近接位置に、小束収納庫１２（ｂ）に収納された小束紙幣Ｔの左端位置を検出する図２に示す左端検出ラインセンサ６１、小束紙幣Ｔの左側に結束テープｔつまり帯がある場合にこれを検出する左側帯検出ラインセンサ６２、小束紙幣Ｔの右側に結束テープｔがある場合にこれを検出する右側帯検出ラインセンサ６３および小束紙幣Ｔの右端位置を検出する右端検出ラインセンサ６４が、それぞれ検出素子を左右方向に並べた状態で固定されている。
【００３６】
小束収納庫１２（ｂ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、各列用の左端検出ラインセンサ６１、左側帯検出ラインセンサ６２、右側帯検出ラインセンサ６３および右端検出ラインセンサ６４が、この小束収納庫１２（ｂ）に収納された小束紙幣Ｔの上端部の反射光データを取得することになる。
【００３７】
管理装置制御部２５は、引出位置検出機構３５の検出結果と、各列用の左端検出ラインセンサ６１、左側帯検出ラインセンサ６２、右側帯検出ラインセンサ６３および右端検出ラインセンサ６４の検出結果とに基づいて小束収納庫１２（ｂ）内の小束紙幣Ｔの数量および金種を取得する。すなわち、管理装置制御部２５は、右側帯検出ラインセンサ６３および右端検出ラインセンサ６４の検出結果から帯の数つまり束数を取得し、左端検出ラインセンサ６１および左側帯検出ラインセンサ６２の検出結果から長さつまり金種を取得する。このようにして、管理装置制御部２５は、各小束収納庫１２（ｂ）内の小束紙幣Ｔの各金種別の束数、合計金額等の在高を管理する。
【００３８】
すべての棒金トレイ５０のすべての棒金収納位置の底部には、棒金Ｂの有無および材質を検出する磁気センサからなる棒金検出センサ６８がそれぞれ設けられている。管理装置制御部２５は、すべての棒金検出センサ６８の検出結果から、棒金収納庫１２（ｃ）内の棒金Ｂの数量および金種を取得する。このようにして、管理装置制御部２５は、各棒金収納庫１２（ｃ）内の棒金Ｂの各金種別の本数、合計金額等の在高を管理する。
【００３９】
管理装置制御部２５は、予備収納庫１２（ａ）の在高については、予備収納庫１２（ａ）へのバラ紙幣、バラ硬貨、小切手等の入出庫を含む入出取引の際に、管理装置操作表示部１６を介して入力される、バラ紙幣の入庫数、バラ紙幣の出庫数、バラ硬貨の入庫数およびバラ硬貨の出庫数等に基づいて在高を管理する。
【００４０】
また、現金管理装置本体１１には、全ての収納庫１２のそれぞれに対して、収納庫１２を閉状態で個別にロックする上記した収納庫ロック機構２２が設けられている。各収納庫ロック機構２２は、それぞれ、給電されるとロックを解除して対応する収納庫１２を引き出し可能とし開作動を許容する状態となる。また、各収納庫ロック機構２２は、それぞれ、対応する収納庫１２の引き出し後に給電が停止されることになり、その後は、対応する収納庫１２が全閉位置に戻されると収納庫１２を引き出し不可に自動的かつ機械的にロックする。
【００４１】
現金管理装置４は、操作者が、例えば、顧客用の両替機、テラー用の窓口機、顧客用の現金自動預払機等の貨幣処理機器に現金を装填したり補充したり、これらの貨幣処理機器から現金を回収したり、顧客に現金を出金したり、顧客から預かった現金を収納したり、顧客から受け取った現金貨幣を同額の異金種の貨幣へ両替する際等に使用される。つまり、現金管理装置４は、操作者が、バラ硬貨、バラ紙幣、棒金Ｂおよび小束紙幣Ｔのうちの少なくともいずれか一つを現金管理装置４から取り出す出庫時、現金管理装置４にバラ硬貨、バラ紙幣、棒金Ｂおよび小束紙幣Ｔのうちの少なくともいずれか一つを収納する入庫時、および入庫と出庫とを同時並行で行う入庫・出庫時のいずれかからなる入出庫取引時に使用される。
【００４２】
図１に示す出納機２は、紙幣、硬貨および金券等の貨幣類を取り扱うもので、金融機関等の店舗に設置されて店舗全体の貨幣処理を管理するものである。出納機２は、例えば、大口顧客に対する係員による入金、出金等の取引処理、係員による渉外先への持ち出し金の出金処理や、渉外先からの持ち帰り金の入金処理、さらには、営業終了後の金融機関店舗全体での入出金状況の締め上げ管理等を行うものである。
【００４３】
出納機２は、紙幣についての入出金処理等を行う紙幣処理装置１５５と、紙幣の特に新券についての出金処理等を行う新券処理装置１５６と、硬貨についての入出金処理等を行う硬貨処理装置１５７とが左右に並設されて構成されている。
【００４４】
紙幣処理装置１５５は、その前面側の上部に、機外からバラ紙幣が投入されると共に機内から出金用のバラ紙幣が繰り出されるバラ紙幣入出金口１６０が設けられている。バラ紙幣入出金口１６０の下側には、入金処理で受け付け不可と判定された入金リジェクト紙幣が機内から繰り出される入金リジェクト口１６１が設けられている。バラ紙幣入出金口１６０よりも上側には、機内でバラ紙幣を所定枚数集積して結束してなる小束紙幣を機外に取り出し可能とする束出金口１６２が設けられている。
【００４５】
新券処理装置１５６には、その前面側の上部に、機内から出金用の新券のバラ紙幣が繰り出される新券出金口１６５が設けられている。
【００４６】
硬貨処理装置１５７は、その前面側の上部に、機外からバラ硬貨が投入されるバラ硬貨入金口１６８が設けられている。バラ硬貨入金口１６８の下側には、入金処理で受け付け不可と判定された入金リジェクト硬貨が機内から繰り出される入金リジェクト口１６９が設けられている。入金リジェクト口１６９の下側には、機内から出金用のバラ硬貨が繰り出されるバラ硬貨出金口１７０が設けられている。前面側の上部には、機内でバラ硬貨を所定枚数集積して包装してなる棒金硬貨を機外に取り出し可能とする棒金出金口１７１が設けられている。
【００４７】
出納機２は、硬貨処理装置１５７の上部に、タッチパネル式の出納機操作表示部１７５（操作入力手段）と、出納機キー操作部１８１（操作入力手段）と、出納機カードリーダ１８２（操作者ＩＤ認証手段）とを有している。出納機操作表示部１７５は、操作者により操作が入力されると共に操作者に表示を行うものであり、出納機キー操作部１８１は、操作者により操作が入力されるものである。出納機カードリーダ１８２は操作者により通されたＩＤカードの操作者ＩＤを読み取って認証するものである。出納機２は、図２に示すように、出納機２を制御する出納機制御部１７７（貨幣処理データ作成手段）と、出納機２内の在高データおよび店舗内の在高データ、操作者ＩＤのマスタデータ、データ作成許可者ＩＤのマスタデータ、承認者ＩＤのマスタデータ等を記憶する出納機記憶部１７９とを有している。
【００４８】
出納機２は、その出納機制御部１７７が、この出納機２と同じ店舗内に設けられたすべての現金管理装置４の管理装置制御部２５と通信可能であり、この出納機２と同じ店舗内に設けられた図示略の両替機、窓口機および現金自動預払機等の貨幣処理機器と通信可能である。
【００４９】
出納機２は、その出納機制御部１７７が、管理在高データとして、これが設けられた出納機２の出納機在高データを出納機記憶部１７９に記憶させており、この出納機在高データを管理する。また、出納機２は、その出納機制御部１７７が、管理在高データとして、この出納機２と同じ店舗内に設けられたすべての現金管理装置４の各別の管理装置在高データと、この出納機２と同じ店舗内に設けられたすべての貨幣処理機器の各別の貨幣処理機器在高データとを出納機記憶部１７９に記憶させており、これらの管理装置在高データと貨幣処理機器在高データとを管理する。出納機制御部１７７は、出納機在高データと管理装置在高データと貨幣処理機器在高データとを区別しつつ関連データとして管理する。これにより、出納機２は、店舗内のすべての貨幣類の在高データを一元管理するようになっている。
【００５０】
出納機２は、現金管理装置４で行われる貨幣処理の貨幣処理データである入出庫処理データを作成する。現金管理装置４は、出納機２から送信されるこの入出庫処理データに基づいて貨幣の入出庫処理が可能となる。
【００５１】
「データ作成処理」
入出庫処理データを作成するに当たって、操作者は、出納機２の待機状態にある出納機操作表示部１７５のメニューの中から、入出庫処理データ作成メニューを選択する選択操作を入力する。出納機操作表示部１７５の入出庫処理データ作成メニューが選択操作されると、出納機制御部１７７は、出納機操作表示部１７５に、出納機カードリーダ１８２へのＩＤカードの認証を促す表示を表示させる。これを見て操作者がＩＤカードを出納機カードリーダ１８２に通す。すると、出納機カードリーダ１８２が、通されたＩＤカードの操作者ＩＤを読み取って認証する。
【００５２】
出納機制御部１７７は、出納機カードリーダ１８２で認証された操作者ＩＤが、出納機記憶部１７９に記憶されたデータ作成許可者ＩＤリストにあるか否かを判定する。出納機制御部１７７は、出納機カードリーダ１８２で認証された操作者ＩＤが、データ作成許可者ＩＤリストにある場合に、入出庫処理データの作成が可能になる。他方、出納機制御部１７７は、カードリーダ１８２で認証された操作者ＩＤが、データ作成許可者ＩＤリストにない場合には、入出庫処理データの作成は不可になって出納機操作表示部１７５にその旨のエラー表示を表示させる。
【００５３】
入出庫処理データの作成が可能になると、操作者つまりデータ作成許可者は、出納機操作表示部１７５および出納機キー操作部１８１へ操作入力を行うことになり、出納機制御部１７７は、出納機操作表示部１７５および出納機キー操作部１８１への操作入力に基づいて入出庫処理データを作成する。入出庫処理データは、貨幣である棒金および小束紙幣のうちの少なくともいずれか一方の、入出庫させる金種および数量を含むものである。出納機制御部１７７は、作成された入出庫処理データを、この入出庫処理データを作成するに当たって認証された操作者ＩＤと、出納機操作表示部１７５への操作入力で選択された入出庫対象の現金管理装置４の装置ＩＤとに関連付けて、出納機記憶部１７９に未処理の入出庫処理データとして記憶させて、出納機２の出納機操作表示部１７５を待機状態に戻し、データ作成処理を終了する。出納機制御部１７７は、このようにして一のデータ作成処理を終了すると、次のデータ作成処理を受け付け可能な状態になる。
【００５４】
以上により、出納機制御部１７７は、出納機カードリーダ１８２で認証された操作者ＩＤがデータ作成許可者ＩＤリストにある場合に出納機操作表示部１７５および出納機キー操作部１８１への操作入力に基づいて入出庫処理データを作成する。出納機２は、出納機制御部１７７が作成した貨幣処理データを現金管理装置４に送信可能になっている。
【００５５】
「入出庫処理」
データ作成処理後、データ作成許可者は、現金管理装置４に行って、作成された入出庫処理データに基づく貨幣の入出庫処理を行うことになる。その際に、この入出庫処理を承認できる立場の操作者、つまり出納機記憶部１７９に記憶された承認許可者ＩＤリストにある操作者ＩＤを有する承認者に承認操作を依頼する。データ作成許可者ＩＤリストにある操作者ＩＤよりも承認許可者ＩＤリストにある操作者ＩＤの方が職責が上位となっている。
【００５６】
承認操作の依頼後、データ作成許可者は、入出庫処理を行うために現金管理装置４に行く。承認者は、現金管理装置４にデータ作成許可者が行ったことを直接目視で確認すると、出納機２の待機状態にある出納機操作表示部１７５のメニューの中から入出庫処理データ承認メニューを選択操作する。ここで、現金管理装置４にデータ作成許可者が行ったことを、出納機２で承認操作を行う承認者が直接目視で確認することから、出納機２および現金管理装置４は、互いの操作者が直接目視可能となるように比較的近距離の位置に設置されることになる。
【００５７】
出納機２の待機状態にある出納機操作表示部１７５のメニューの中から入出庫処理データ承認メニューが選択操作されると、出納機制御部１７７は、出納機操作表示部１７５に、出納機カードリーダ１８２へのＩＤカードの認証を促す表示を表示させる。これを見て操作者がＩＤカードを通す。すると、出納機カードリーダ１８２が、通されたＩＤカードの操作者ＩＤを読み取って認証する。
【００５８】
出納機制御部１７７は、出納機カードリーダ１８２で認証された操作者ＩＤが、出納機記憶部１７９に記憶された承認許可者ＩＤリストにあるか否かを判定する。出納機カードリーダ１８２で認証された操作者ＩＤが、承認許可者ＩＤリストにある場合に、出納機制御部１７７は、未処理の入出庫処理データを出納機記憶部１７９から読み出す。未処理の入出庫処理データが一つだけの場合、出納機制御部１７７は、出納機操作表示部１７５に、この未処理の入出庫処理データを、これに関連付けられた操作者ＩＤおよび装置ＩＤと表示させると共に、この未処理の入出庫処理データの送信の実行指示操作の入力を促す表示を表示させる。これを見て、承認者は、出納機操作表示部１７５に送信の実行指示操作を入力する。出納機操作表示部１７５に送信の実行指示操作が入力されると、出納機制御部１７７は、読み出した未処理の入出庫処理データを、これに関連付けられた装置ＩＤの現金管理装置４に送信する。つまり出納機２は、出納機制御部１７７が入出庫処理データを作成した状態で、出納機カードリーダ１８２で認証された操作者ＩＤが承認許可者ＩＤリストにある場合に、出納機操作表示部１７５に承認操作が入力されると、この入出庫処理データを現金管理装置４に送信する。
【００５９】
他方、カードリーダ１８２で認証された操作者ＩＤが、承認許可者ＩＤリストにない場合には、未処理の入出庫処理データを現金管理装置４に送信することはなく、出納機操作表示部１７５にその旨のエラー表示を表示させる。
【００６０】
ここで、未処理の入出庫処理データが、出納機記憶部１７９に複数記憶されている場合に、出納機制御部１７７は、すべての未処理の入出庫処理データを出納機記憶部１７９から読み出すと共に、出納機操作表示部１７５に、すべての未処理の入出庫処理データを操作者ＩＤおよび装置ＩＤに関連付けて表示させ、これらの中から送信する未処理の入出庫処理データの選択指示操作の入力を促す表示を表示させる。すると、承認者は、送信する未処理の入出庫処理データの選択指示操作を出納機操作表示部１７５に入力する。選択指示操作が入力されると、出納機制御部１７７は、選択された未処理の入出庫処理データの送信の実行指示操作の入力を促す表示を出納機操作表示部１７５に表示させる。すると、承認者は、出納機操作表示部１７５に送信の実行指示操作を入力する。出納機操作表示部１７５に送信の実行指示操作が入力されると、出納機制御部１７７は、選択された未処理の入出庫処理データをこれに関連付けられた装置ＩＤの現金管理装置４に送信する。
【００６１】
また、出納機２で入出庫処理データが作成される現金管理装置４が複数ある場合には、未処理の入出庫処理データが出納機記憶部１７９に複数記憶されている場合に、上記のように、出納機操作表示部１７５に、すべての未処理の入出庫処理データを操作者ＩＤおよび装置ＩＤに関連付けて表示させ、これらの中から送信する未処理の入出庫処理データの選択指示操作が入力され、送信の実行指示操作が入力されると、出納機制御部１７７は、選択された未処理の入出庫処理データをこれに関連付けられた装置ＩＤを有する現金管理装置４に送信する。
【００６２】
現金管理装置４は、入出庫処理データを受信すると、その管理装置制御部２５が、この現金管理装置４について以下の制御を行う。
【００６３】
管理装置制御部２５は、受信した入出庫処理データと、入出庫処理の実行指示操作の入力を促す表示とを管理装置操作表示部１６に表示させる。すると、データ作成許可者は、入出庫処理データの内容を確認して、管理装置操作表示部１６に入出庫処理の実行指示操作を入力する。管理装置操作表示部１６に入出庫処理の実行指示操作が入力されると、管理装置制御部２５は、受信した入出庫処理データを管理装置記憶部２６に記憶させると共に、この入出庫処理データに基づく貨幣の取り出しまたは収納つまり出庫または入庫が可能な状態となる。よって、現金管理装置４は、データ作成元である出納機２から送信された入出庫処理データを受信すると共に、受信した入出庫処理データに基づいて貨幣の処理が可能となる。
【００６４】
管理装置制御部２５は、入出庫処理データに基づく現金管理装置４からの貨幣の入出庫が可能な状態となると、この入出庫処理データを管理装置操作表示部１６に表示させた状態のまま、現金管理装置４について以下の制御を行う。
【００６５】
入出庫処理データに基づいて、全ての小束収納庫１２（ｂ）および全ての棒金収納庫１２（ｃ）の中から、この入出庫処理データの貨幣が取り出されるまたは収納されることになる入出庫対象収納庫１２をロックしている収納庫ロック機構２２のロックを解除して、入出庫対象収納庫１２を現金管理装置本体１１から引き出し可能とする。
【００６６】
例えば、この入出庫処理データに、小束紙幣Ｔに関するものが含まれる場合、管理装置制御部２５は、含まれる金種の小束紙幣Ｔを収納しているまたは収納することになる小束収納庫１２（ｂ）を入出庫対象収納庫とし、この小束収納庫１２（ｂ）をロックしている収納庫ロック機構２２のロックを解除する。これにより、この小束収納庫１２（ｂ）が現金管理装置本体１１から引き出し可能となる。それと共に、管理装置制御部２５は、この小束収納庫１２（ｂ）用のその側方にある表示灯２３を点灯させる。
【００６７】
また、例えば、この入出庫処理データに、棒金Ｂに関するものが含まれる場合、管理装置制御部２５は、含まれる金種の棒金Ｂを収納しているまたは収納することになる棒金収納庫１２（ｃ）を入出庫対象収納庫１２とし、この棒金収納庫１２（ｃ）をロックしている収納庫ロック機構２２のロックを解除する。これにより、この棒金収納庫１２（ｃ）が現金管理装置本体１１から引き出し可能となる。それと共に、管理装置制御部２５は、この棒金収納庫１２（ｃ）用のその側方にある表示灯２３を点灯させる。
【００６８】
操作者は、管理装置操作表示部１６に表示された入出庫処理データを確認しながら、入出庫対象収納庫１２を引き出し開状態として、現金を手で取り出す出庫作業または収納する入庫作業を行う。
【００６９】
例えば、入出庫対象収納庫１２が一の小束収納庫１２（ｂ）である場合、管理装置制御部２５は、この一の小束収納庫１２（ｂ）をロックしている収納庫ロック機構２２を駆動してロックを解除すると共に、この一の棒金収納庫１２（ｃ）用の表示灯２３を点灯させることになる。そして、この一の小束収納庫１２（ｂ）の現金管理装置本体１１からの引き出しが開始されたことを引出位置検出機構３５の検出結果から検出すると、この一の小束収納庫１２（ｂ）用の収納庫ロック機構２２の駆動を終了する。
【００７０】
その後、引出位置検出機構３５が、この一の小束収納庫１２（ｂ）について、全開状態になったことを検出した後、閉方向の移動開始を検出すると、管理装置制御部２５は、この一の小束収納庫１２（ｂ）に対して設けられた左端検出ラインセンサ６１、左側帯検出ラインセンサ６２、右側帯検出ラインセンサ６３および右端検出ラインセンサ６４の組の左右二組について、これらに給電してこれらによる反射光データの取り込みを開始させる。そして、引出位置検出機構３５がこの一の小束収納庫１２（ｂ）が全閉状態になったことを検出すると、管理装置制御部２５は、反射光データの取り込みを終了させると共に、この一の小束収納庫１２（ｂ）用の表示灯２３を消灯させる。この一の小束収納庫１２（ｂ）が全閉状態になると、この一の小束収納庫１２（ｂ）用の収納庫ロック機構２２がこれを自動的にロック状態になる。
【００７１】
そして、管理装置制御部２５は、上記した反射光データから、この一の小束収納庫１２（ｂ）に収納されている小束紙幣Ｔの金種別の数量データを取得して管理装置記憶部２６に記憶させると共に、この金種別の数量データと、管理装置記憶部２６に記憶されている前回のこの一の小束収納庫１２（ｂ）の金種別の数量データとから、小束紙幣Ｔの増減分を割り出す。
【００７２】
また、対象収納庫１２が一の棒金収納庫１２（ｃ）である場合、管理装置制御部２５は、この一の棒金収納庫１２（ｃ）について、引出位置検出機構３５が、開状態になったことを検出した後、全閉状態になったことを検出すると、この一の小束収納庫１２（ｂ）用の表示灯２３を消灯させると共に、この一の棒金収納庫１２（ｃ）に対して設けられた棒金検出センサ６８に磁気データを取得させる。
【００７３】
そして、管理装置制御部２５は、上記した磁気データから、この一の棒金収納庫１２（ｃ）に収納されている棒金Ｂの金種別の数量データを取得して管理装置記憶部２６に記憶させると共に、この金種別の数量データと、管理装置記憶部２６に記憶されている前回のこの一の棒金収納庫１２（ｃ）の金種別の数量データとから、棒金Ｂの増減分を割り出す。
【００７４】
管理装置制御部２５は、すべての収納庫１２が閉状態となって管理装置操作表示部１６に入出庫処理の終了操作が入力されると、貨幣の増減分を、今回受信した入出庫処理データと照合して差異があるか否かを判定し、差異がなければ、入出庫処理を終了し、差異があれば、管理装置操作表示部１６にその旨の報知を行わせる。
【００７５】
そして、入出庫処理を終了すると、管理装置制御部２５は、管理装置操作表示部１６への入出庫処理データの表示を終了すると共に、この入出庫処理が終了した入出庫処理データを出納機２の出納機制御部１７７に送信する。すると、出納機２の出納機制御部１７７は、この入出庫処理データを未処理の入出庫処理データから処理済みの入出庫処理データとして出納機記憶部１７９に記憶させる。以上の貨幣の入出庫処理において、現金管理装置４は、管理装置カードリーダ１７で操作者ＩＤを認証することはない。
【００７６】
以上に述べた第１実施形態の貨幣処理システム１によれば、出納機２において、出納機カードリーダ１８２がデータ作成許可者ＩＤリストにある操作者ＩＤを認証すると、出納機制御部１７７が、出納機操作表示部１７５および出納機キー操作部１８１への操作入力に基づいて入出庫処理データを作成する。出納機２は、このように出納機制御部１７７が入出庫処理データを作成した状態で、出納機カードリーダ１８２が承認許可者ＩＤリストにある操作者ＩＤを認証し、その上で、出納機操作表示部１７５に承認操作が入力されると、入出庫処理データを、出納機２とは別体の現金管理装置４に送信する。すると、現金管理装置４は、この入出庫処理データを受信し、この入出庫処理データに基づいて棒金Ｂおよび小束紙幣Ｔの入出庫が可能となる。つまり、出納機２においてデータ作成許可者ＩＤリストにある操作者ＩＤのデータ作成者が入出庫処理データを作成した後、出納機２において承認許可者ＩＤリストにある操作者ＩＤの承認者が承認操作を行うと、現金管理装置４が、作成された入出庫処理データに基づく棒金Ｂおよび小束紙幣Ｔの入出庫処理が可能な状態となる。よって、上記のように現金管理装置４における操作者ＩＤの認証操作を省いて操作を容易化しても、出納機２において承認許可者ＩＤリストにある操作者ＩＤの承認者が承認操作を行うことになる。このため、セキュリティ性を確保しつつ現金管理装置４側の操作の容易化を図ることができる。
【００７７】
なお、第１実施形態において、出納機２および現金管理装置４のそれぞれの近くに双方向の通話が可能なインターホン等の通話システムを設けても良い。これにより、承認者が、現金管理装置４にデータ作成許可者が行ったことを目視で確認できなくても、通話で確認することができる。これにより、出納機２側の承認者が、現金管理装置４の近傍の操作者の状況を直接目視できない場合でも確認することができるため、出納機２と現金管理装置４とを互いの操作者が目視不可な遠隔位置に設置することができる。この場合、通話システムは、必ずしも双方向の通話が可能である必要はなく、現金管理装置４にマイクを、出納機２にマイクで受けた音声を音声出力するスピーカを設けて、現金管理装置４側の操作者が現金管理装置４に到着したことを、出納機２側の承認者に報告するようにしても良い。
【００７８】
ここで、第１実施形態において、以下のように制御を変更することも可能である。
【００７９】
データ作成処理時に、出納機制御部１７７が、作成された入出庫処理データを、出納機記憶部１７９に未処理の入出庫処理データとして記憶させてもデータ作成処理を終了せずに、出納機操作表示部１７５に、出納機カードリーダ１８２へのＩＤカードの認証を促す表示を表示させて、出納機カードリーダ１８２による操作者ＩＤの認証を待機する。このとき、出納機２が次のデータ作成処理を受け付けることはない。
【００８０】
そして、出納機制御部１７７は、出納機カードリーダ１８２が、ＩＤカードの操作者ＩＤを読み取って認証すると、この操作者ＩＤが、出納機記憶部１７９に記憶された承認許可者ＩＤリストにある場合に、未処理の入出庫処理データを出納機記憶部１７９から読み出すと共に、出納機操作表示部１７５に、未処理の入出庫処理データを表示させ、読み出した未処理の出庫処理データの送信の実行指示操作の入力を促す表示を表示させる。
【００８１】
その後、出納機操作表示部１７５に送信の実行指示操作が入力されると、出納機制御部１７７は、読み出した未処理の入出庫処理データを現金管理装置４に送信して、データ作成処理を終了する。つまり、出納機２での入出庫処理データの作成から、この入出庫処理データの現金管理装置４への送信までを一のデータ作成処理とする。このようにして、一のデータ作成処理が終了すると、出納機制御部１７７は、次のデータ作成処理を受け付ける可能になる。
【００８２】
［第２実施形態］
本発明の第２実施形態に係る貨幣処理システムを図５，図６を参照しつつ第１実施形態との相違部分を中心に説明する。
【００８３】
第２実施形態の貨幣処理システム１においては、図５に示すように、現金管理装置４の近傍の操作者を撮影するカメラ（撮影手段）１９１が設けられている。具体的に、カメラ１９１は、操作のため現金管理装置４の前に立った操作者の顔を正面から撮影できるように現金管理装置４の上部に、撮影方向を現金管理装置４の前方（操作者側）に向けて取り付けられている。
【００８４】
また、このカメラ１９１の撮影画像を、出納機２の近傍の操作者に向けて表示させる液晶モニタ等の表示モニタ（モニタ手段）１９２が設けられている。表示モニタ１９２は、操作のため出納機２の前に立った操作者が目視し易いように出納機２の上部に、表示方向を出納機２の前方（操作者側）に向けて取り付けられている。なお、表示モニタ１９２を設けずに、カメラ１９１の撮影画像を、出納機操作表示部１７５に表示させるようにすることも可能である。
【００８５】
そして、第１実施形態と同様のデータ作成処理後、出納機２の待機状態にある出納機操作表示部１７５のメニューの中から入出庫処理データ承認メニューが選択操作されると、出納機制御部１７７は、出納機操作表示部１７５に、出納機カードリーダ１８２へのＩＤカードの認証を促す表示を表示させると共に、カメラ１９１で撮影を開始させて、その撮影画像の表示モニタ１９２へのライブでの表示を開始させる。出納機制御部１７７は、出納機カードリーダ１８２で認証された操作者ＩＤが、出納機記憶部１７９に記憶された承認許可者ＩＤリストにある場合に、未処理の入出庫処理データを出納機記憶部１７９から読み出す。
【００８６】
その後、未処理の入出庫処理データの送信の実行指示操作が出納機操作表示部１７５に入力されると、出納機制御部１７７は、読み出した未処理の入出庫処理データを現金管理装置４に送信すると共に、カメラ１９１の撮影および表示モニタ１９２の表示を終了させる。あるいは、未処理の入出庫処理データの送信後、この入出庫処理データに関する現金管理装置４での入出庫処理が終了して、管理装置制御部２５が、終了した入出庫処理データを出納機２の出納機制御部１７７に送信すると、これを受信した出納機制御部１７７が、カメラ１９１の撮影および表示モニタ１９２の表示を終了させる。ここで、カメラ１９１として、現金管理装置４の取り引き中に取り引き状況を撮影し、この撮影画像を記録させるためのカメラを用いて、その撮影画像を上記のタイミングで表示モニタ１９２に表示させるようにしても良い。
【００８７】
以上に述べた第２実施形態の貨幣処理システム１によれば、カメラ１９１が、現金管理装置４の近傍の操作者を撮影すると、表示モニタ１９２が、このカメラ１９１の撮影画像を出納機２の近傍の操作者に向けて表示させるため、出納機２において承認操作を行う承認者は、現金管理装置４の近傍の操作者の状況を表示モニタ１９２の画像で確認した上で、承認操作を行うことができる。したがって、出納機２側の承認者が、現金管理装置４の近傍の操作者の状況を容易に確認できるため、出納機２での承認者による確認作業が容易となる。また、出納機２側の承認者が、現金管理装置４の近傍の操作者の状況を直接目視できない場合でも確認することができるため、出納機２と現金管理装置４とを互いの操作者が目視不可な遠隔位置に設置することができる。
【００８８】
また、第２実施形態の貨幣処理システム１において、一つの現金管理装置４に入出庫処理データを送信可能な出納機２が複数設けられている場合に、カメラ１９１は、撮影画像をすべての出納機２の表示モニタ１９２に送信し、これらに表示させることになる。
【００８９】
［第３実施形態］
本発明の第３実施形態に係る貨幣処理システムを図７，図８を参照しつつ第１実施形態との相違部分を中心に説明する。
【００９０】
第３実施形態の貨幣処理システム１においては、図７に示すように、第２実施形態と同様、現金管理装置４の近傍の操作者を撮影するカメラ（撮影手段）１９１が設けられている。具体的に、カメラ１９１は、現金管理装置４の前に立った操作者の顔を正面から撮影できるように現金管理装置４の上部に、撮影方向を現金管理装置４の前方（操作者側）に向けて取り付けられている。
【００９１】
第３実施形態の貨幣処理システム１において、カメラ１９１は、図８に示す出納機２の出納機制御部１７７（操作者ＩＤ画像特定手段）と無線または有線で通信可能となっている。一方、カメラ１９１は、現金管理装置４と直接通信することはない。出納機制御部１７７は、カメラ１９１の撮影画像から画像解析処理によって操作者を認識しこの操作者の顔と思われる部分を抜き出し、出納機記憶部１７９に記憶された顔面画像データベースと照合して一致する操作者の操作者ＩＤをカメラ１９１で撮影された操作者の操作者ＩＤと特定する。
【００９２】
「データ作成処理」
第３実施形態の貨幣処理システム１において、入出庫処理データを作成するに当たって、操作者は、出納機２の待機状態にある出納機操作表示部１７５のメニューの中から、入出庫処理データ作成メニューを選択する選択操作を入力する。出納機操作表示部１７５の入出庫処理データ作成メニューが選択操作されると、出納機制御部１７７は、出納機操作表示部１７５に、出納機カードリーダ１８２へのＩＤカードの認証を促す表示を表示させる。これを見て操作者がＩＤカードを通す。すると、出納機カードリーダ１８２が、通されたＩＤカードの操作者ＩＤを読み取って認証する。
【００９３】
出納機制御部１７７は、出納機カードリーダ１８２で認証された操作者ＩＤが、出納機記憶部１７９に記憶されたデータ作成許可者ＩＤリストにあるか否かを判定する。出納機制御部１７７は、出納機カードリーダ１８２で認証された操作者ＩＤが、データ作成許可者ＩＤリストにある場合に、入出庫処理データの作成が可能になる。他方、出納機制御部１７７は、カードリーダ１８２で認証された操作者ＩＤが、データ作成許可者ＩＤリストにない場合には、入出庫処理データの作成は不可になって出納機操作表示部１７５にその旨のエラー表示を表示させる。
【００９４】
入出庫処理データの作成が可能になると、操作者つまりデータ作成許可者は、出納機操作表示部１７５および出納機キー操作部１８１へ操作入力を行うことになり、出納機制御部１７７は、出納機操作表示部１７５および出納機キー操作部１８１への操作入力に基づいて入出庫処理データを作成する。入出庫処理データは、貨幣である棒金および小束紙幣のうちの少なくともいずれか一方の金種および数量を含むものである。出納機制御部１７７は、作成された入出庫処理データを、この入出庫処理データを作成するに当たって認証された操作者ＩＤに関連付けて、出納機記憶部１７９に未処理の入出庫処理データとして記憶させて、出納機２の出納機操作表示部１７５を待機状態に戻して、データ作成処理を終了する。出納機制御部１７７は、このようにして一のデータ作成処理を終了すると、次のデータ作成処理を受け付け可能な状態になる。
【００９５】
以上により、出納機制御部１７７は、出納機カードリーダ１８２で認証された操作者ＩＤがデータ作成許可者ＩＤリストにある場合に当該操作者ＩＤに関連付けて入出庫処理データを出納機操作表示部１７５および出納機キー操作部１８１への操作入力に基づいて作成する。出納機２は、出納機制御部１７７が作成した貨幣処理データを現金管理装置４に送信可能になっている。
【００９６】
「入出庫処理」
データ作成処理後、データ作成許可者は、現金管理装置４に行って、作成された入出庫処理データに基づく貨幣の入出庫処理を行うことになる。データ作成許可者が現金管理装置４に行くと、現金管理装置４の近傍の操作者を撮影するカメラ１９１が、データ作成許可者である操作者を撮影して出納機制御部１７７に撮影画像を送信する。すると、出納機制御部１７７は、この撮影画像から画像解析処理によって操作者の顔と思われる部分を抜き出し、出納機記憶部１７９に記憶された顔面画像データベースと照合して一致する操作者の操作者ＩＤを、撮影画像に写っている操作者の操作者ＩＤに特定する。そして、出納機制御部１７７は、このように操作者ＩＤを特定すると、この操作者ＩＤの操作者を撮影しているカメラ１９１に対応する現金管理装置４、つまりこのカメラ１９１が取り付けられた現金管理装置４に、この操作者ＩＤに関連付けられて出納機記憶部１７９に記憶された未処理の入出庫処理データを送信する。
【００９７】
すると、この現金管理装置４の管理装置制御部２５は、この現金管理装置４について以下の制御を行う。
【００９８】
受信した入出庫処理データと、入出庫処理の実行指示操作の入力を促す表示とを、管理装置操作表示部１６に表示させる。これを見たデータ作成許可者は、入出庫処理データの内容を確認して、管理装置操作表示部１６に入出庫処理の実行指示操作を入力する。この管理装置操作表示部１６に入出庫処理の実行指示操作が入力されると、管理装置制御部２５は、受信した未処理の入出庫処理データを管理装置記憶部２６に記憶させると共に、この入出庫処理データに基づくこの現金管理装置４からの貨幣の取り出しまたは収納つまり出庫または入庫が可能な状態となる。
【００９９】
すると、管理装置制御部２５は、入出庫処理データを管理装置操作表示部１６に表示させた状態のまま、上記と同様、入出庫処理データに基づいて、出庫対象収納庫１２をロックしている収納庫ロック機構２２のロックを解除して、入出庫対象収納庫１２を現金管理装置本体１１から引き出し可能とする。つまり、出納機制御部１７７がカメラ１９１の撮影画像から画像解析処理によって操作者を認識しこの操作者の操作者ＩＤを特定すると、このカメラ１９１でその操作者が撮影される現金管理装置４は、当該操作者ＩＤに関連付けられた入出庫処理データに基づいて貨幣の入出庫処理が可能となる。
【０１００】
操作者は、管理装置操作表示部１６に表示された入出庫処理データを確認しながら、入出庫対象収納庫１２を引き出し開状態として、現金を取り出す出庫作業または収納する入庫作業を行う。
【０１０１】
管理装置制御部２５は、すべての収納庫１２が閉状態となって管理装置操作表示部１６に入出庫処理の終了操作が入力されると、貨幣の増減分を、受信した入出庫処理データと照合して差異があるか否かを判定し、差異がなければ、入出庫処理を終了し、差異があれば、管理装置操作表示部１６にその旨の報知を行わせる。
【０１０２】
そして、管理装置制御部２５は、入出庫処理が終了すると、管理装置操作表示部１６への入出庫処理データの表示を終了すると共に、処理が終了した入出庫処理データを出納機２の出納機制御部１７７に送信する。すると、出納機２の出納機制御部１７７は、この入出庫処理データを未処理の入出庫処理データから処理済みの入出庫処理データとして出納機記憶部１７９に記憶させる。以上の貨幣の入出庫処理において、現金管理装置４は、管理装置カードリーダ１７で操作者ＩＤを認証することはない。
【０１０３】
こで、カメラ１９１の撮影画像から特定された操作者ＩＤに関連付けられた未処理の入出庫処理データが、出納機記憶部１７９に複数記憶されている場合に、出納機制御部１７７は、これらの未処理の入出庫処理データをすべて出納機記憶部１７９から読み出して、この操作者ＩＤの操作者を撮影したカメラ１９１が取り付けられている現金管理装置４に一括して送信する。
【０１０４】
すると、この現金管理装置４の管理装置制御部２５は、この現金管理装置４について以下の制御を行う。
【０１０５】
管理装置制御部２５は、すべての未処理の入出庫処理データを、管理装置操作表示部１６にリスト表示させると共に、この管理装置操作表示部１６に、実行する未処理の入出庫処理データの選択指示操作の入力を促す表示を表示させる。すると、操作者は、実行する未処理の入出庫処理データの選択指示操作をこの管理装置操作表示部１６（選択操作手段）に入力する。選択指示操作が入力されると、管理装置制御部２５は、選択された未処理の入出庫処理データの入出庫処理の実行指示操作の入力を促す表示を管理装置操作表示部１６に表示させる。すると、操作者は、管理装置操作表示部１６に入出庫処理の実行指示操作を入力する。管理装置操作表示部１６に入出庫処理の実行指示操作が入力されると、管理装置制御部２５は、この入出庫処理データを管理装置記憶部２６に記憶させると共に、この入出庫処理データに基づく現金管理装置４からの貨幣の入出庫が可能な状態となる。
【０１０６】
つまり、現金管理装置４は、選択操作が入力される管理装置操作表示部１６を有しており、カメラ１９１の撮影画像から画像解析処理によって操作者を認識してその操作者ＩＤを特定すると、出納機２は、当該操作者ＩＤに関連付けられた入出庫処理データが複数ある場合に、これらの入出庫処理データを現金管理装置４に一括して送信することになり、現金管理装置４は、これら貨幣処理データの中から管理装置操作表示部１６で選択操作された入出庫処理データに基づいて貨幣の入出庫処理が可能となる。
【０１０７】
そして、管理装置制御部２５は、入出庫処理を終了すると、管理装置操作表示部１６への入出庫処理データの表示を終了すると共に、処理を終了した入出庫処理データを出納機２の出納機制御部１７７に送信する。すると、出納機２の出納機制御部１７７は、この入出庫処理データを未処理の入出庫処理データから処理済みの入出庫処理データとして出納機記憶部１７９に記憶させる。以上の貨幣の入出庫処理においても、現金管理装置４は、管理装置カードリーダ１７で操作者ＩＤを認証することはない。
【０１０８】
また、第３実施形態の貨幣処理システム１において、一つの現金管理装置４に入出庫処理データを送信可能な出納機２が複数設けられている場合に、カメラ１９１は、撮影画像をすべての出納機２に送信することになる。すると、すべての出納機２の出納機制御部１７７が、カメラ１９１の撮影画像から画像解析処理によって操作者を認識してその操作者ＩＤを特定し、特定された操作者ＩＤに関連付けられた未処理の入出庫処理データを出納機記憶部１７９から読み出すことになる。そして、このような未処理の入出庫処理データがある出納機２は、すべての未処理の入出庫処理データを作成元の出納機２の出納機ＩＤと関連付けて、この操作者ＩＤの操作者を撮影したカメラ１９１が取り付けられている現金管理装置４に送信する。
【０１０９】
すると、この現金管理装置４の管理装置制御部２５は、この現金管理装置４について以下の制御を行う。
【０１１０】
管理装置制御部２５は、出納機ＩＤと関連付けられたすべての未処理の入出庫処理データを、管理装置操作表示部１６にリスト表示させると共に、この管理装置操作表示部１６に、実行する未処理の入出庫処理データの選択指示操作の入力を促す表示を表示させる。すると、操作者は、実行する未処理の入出庫処理データの選択指示操作をこの管理装置操作表示部１６に入力する。管理装置操作表示部１６に選択指示操作が入力されると、管理装置制御部２５は、選択された未処理の入出庫処理データの入出庫処理の実行指示操作の入力を促す表示を管理装置操作表示部１６に表示させる。これを見て、操作者は、管理装置操作表示部１６に入出庫処理の実行指示操作を入力する。管理装置操作表示部１６に入出庫処理の実行指示操作が入力されると、管理装置制御部２５は、この操作者ＩＤおよび出納機ＩＤと関連付けられた入出庫処理データを管理装置記憶部２６に記憶させると共に、この入出庫処理データに基づく現金管理装置４からの貨幣の取り出しまたは収納つまり出庫または入庫が可能な状態となる。
【０１１１】
つまり、現金管理装置４は、選択操作が入力される管理装置操作表示部１６を有しており、複数の出納機２の出納機制御部１７７が、カメラ１９１の撮影画像から画像解析処理によって操作者を認識してその操作者ＩＤを特定すると、当該操作者ＩＤに関連付けられた入出庫処理データを現金管理装置４に送信することになり、現金管理装置４は、これら貨幣処理データの中から管理装置操作表示部１６で選択操作された入出庫処理データに基づいて貨幣の入出庫処理が可能となる。
【０１１２】
そして、管理装置制御部２５は、入出庫処理を終了すると、管理装置操作表示部１６への入出庫処理データの表示を終了すると共に、この処理を終了した入出庫処理データを、これに関連付けられた出納機ＩＤを有する送信元の出納機２の出納機制御部１７７に送信する。すると、この送信元の出納機２の出納機制御部１７７は、この入出庫処理データを未処理の入出庫処理データから処理済みの入出庫処理データとして出納機記憶部１７９に記憶させる。以上の貨幣の入出庫処理においても、現金管理装置４は、管理装置カードリーダ１７で操作者ＩＤを認証することはない。
【０１１３】
以上に述べた第３実施形態の貨幣処理システム１によれば、出納機２において、出納機カードリーダ１８２がデータ作成許可者ＩＤリストにある操作者ＩＤを認証すると、出納機制御部１７７が、この操作者ＩＤに関連付けて入出庫処理データを、データ作成者による出納機操作表示部１７５および出納機キー操作部１８１への操作入力に基づいて作成する。また、カメラ１９１は、現金管理装置４の近傍のデータ作成者を撮影し、出納機制御部１７７が、カメラ１９１の撮影画像から画像解析処理によって操作者を認識しこの操作者の操作者ＩＤを特定すると、現金管理装置４は、この操作者ＩＤに関連付けられた入出庫処理データに基づいて貨幣の出庫処理が可能となる。つまり、出納機２においてデータ作成許可者ＩＤリストにある操作者ＩＤのデータ作成者が入出庫処理データを作成した後、このデータ作成者が現金管理装置４の近傍に行くと、このデータ作成者をカメラ１９１および出納機制御部１７７が画像認証することになり、その結果、現金管理装置４は、このデータ作成者が作成した入出庫処理データに基づく貨幣の入出庫処理が可能な状態となる。よって、現金管理装置４において、操作者ＩＤの認証操作を省いて操作を容易化しても、画像認証で操作者を特定し、特定された操作者が作成した入出庫処理データに基づく貨幣の入出庫処理が可能となる。このため、セキュリティ性を確保しつつ現金管理装置４側の操作の容易化を図ることができる。
【０１１４】
また、カメラ１９１および出納機制御部１７７が撮影画像から画像解析処理によって操作者を認識してその操作者ＩＤを特定すると、出納機制御部１７７は、この操作者ＩＤに関連付けられた入出庫処理データが複数ある場合に、このカメラ１９１で操作者が撮影されている現金管理装置４に、これらの入出庫処理データを一括して送信する。すると、この現金管理装置４は、これら入出庫処理データの中から管理装置操作表示部１６で選択操作された入出庫処理データに基づいて貨幣の入出庫処理が可能となる。よって、データ作成者が複数の入出庫処理データを作成しても、適宜のものを選択して現金管理装置４に処理させることができる。
【０１１５】
また、一つの現金管理装置４に入出庫処理データを送信可能な出納機２が複数設けられている場合に、複数の出納機２に、カメラ１９１および出納機制御部１７７で特定された一つの操作者ＩＤに関連付けられた未処理の入出庫処理データが複数存在することがある。その場合、カメラ１９１および出納機制御部１７７が撮影画像から画像解析処理によって操作者を認識してその操作者ＩＤを特定すると、複数の出納機２は、このカメラ１９１で操作者が撮影される現金管理装置４に、この操作者ＩＤに関連付けられた入出庫処理データをすべて送信することになり、現金管理装置４は、これら入出庫処理データの中から管理装置操作表示部１６で選択操作された入出庫処理データに基づいて貨幣の入出庫処理が可能となる。よって、データ作成者が複数の出納機２で複数の入出庫処理データを作成しても、適宜のものを選択して現金管理装置４に入出庫処理させることができる。
【０１１６】
［第４実施形態］
本発明の第４実施形態に係る貨幣処理システムを図７，図８を参照しつつ第３実施形態との相違部分を中心に説明する。
【０１１７】
第４実施形態の貨幣処理システム１においては、図７に示すように、第３実施形態と同様のカメラ１９１が設けられており、このカメラ１９１の撮影画像から画像解析処理によって出納機制御部１７７が操作者を認識してその操作者ＩＤを特定する。第４実施形態の貨幣処理システム１においては、第３実施形態と同様のデータ作成処理によって入出庫処理データが作成される。
【０１１８】
「入出庫処理」
データ作成処理後、データ作成許可者は、現金管理装置４に行って、作成された入出庫処理データに基づく貨幣の入出庫処理を行うことになる。データ作成許可者が現金管理装置４に行くと、現金管理装置４の近傍の操作者を撮影するカメラ１９１が、操作者を撮影して出納機制御部１７７に撮影画像を送信する。すると、出納機制御部１７７は、この撮影画像から画像解析処理によって操作者を認識してその操作者ＩＤを特定する。そして、出納機制御部１７７は、操作者ＩＤを特定すると、この操作者ＩＤの操作者を撮影しているカメラ１９１に対応する現金管理装置４、つまりこのカメラ１９１が取り付けられている現金管理装置４に、この操作者ＩＤに関連付けられて出納機記憶部１７９に記憶された未処理の入出庫処理データを送信する。
【０１１９】
すると、この現金管理装置４の管理装置制御部２５は、この現金管理装置４について第２実施形態と同様の制御を行う。
【０１２０】
ここで、カメラ１９１の撮影画像から特定された操作者ＩＤに関連付けられた未処理の入出庫処理データが、出納機記憶部１７９に複数記憶されている場合に、出納機制御部１７７は、出納機記憶部１７９から、これらの入出庫処理データの中から一つの入出庫処理データを読み出して、この操作者ＩＤを有する操作者がカメラ１９１で撮影されている現金管理装置４に送信する。すると、この現金管理装置４の管理装置制御部２５は、この現金管理装置４について以下の制御を行う。
【０１２１】
管理装置制御部２５は、受信した一つの未処理の入出庫処理データを、管理装置操作表示部１６に表示させると共に、この管理装置操作表示部１６に、この未処理の入出庫処理データに対して指定操作入力および非指定操作入力のいずれかの選択操作を促す表示を表示させる。すると、操作者は、管理装置操作表示部１６（指定操作手段）に、表示された未処理の入出庫処理データについて指定操作入力および非指定操作入力のいずれかを選択して入力する。管理装置操作表示部１６に指定操作入力が入力されると、管理装置制御部２５は、この出庫処理データを管理装置記憶部２６に記憶させると共に、この入出庫処理データに基づく現金管理装置４からの貨幣の入出庫が可能な状態となる。
【０１２２】
他方、管理装置操作表示部１６に非指定操作入力が入力されると、管理装置制御部２５は、その旨の信号を送信元の出納機２に送信する。すると、この出納機２は、出納機制御部１７７が、カメラ１９１の撮影画像から特定された操作者ＩＤに関連付けられた未処理の入出庫処理データの中から次の一つの入出庫処理データを読み出して、送信元の管理装置制御部２５に送信する。
【０１２３】
すると、管理装置制御部２５は、受信した次の一つの未処理の入出庫処理データを、管理装置操作表示部１６に表示させると共に、この管理装置操作表示部１６に、この未処理の入出庫処理データに対して指定操作入力および非指定操作入力のいずれかの選択操作を促す表示を表示させる。これを見て、操作者は、管理装置操作表示部１６に、表示された未処理の入出庫処理データについて指定操作入力および非指定操作入力のいずれかを選択して入力する。管理装置操作表示部１６に指定操作入力が入力されると、管理装置制御部２５は、この入出庫処理データを管理装置記憶部２６に記憶させると共に、この入出庫処理データに基づく現金管理装置４からの貨幣の入出庫が可能な状態となる。
【０１２４】
他方、管理装置操作表示部１６に非指定操作入力が入力されると、管理装置制御部２５は、その旨の信号を送信元の出納機２に送信する。すると、この出納機２は、出納機制御部１７７が、カメラ１９１の撮影画像から特定された操作者ＩＤに関連付けられた未処理の入出庫処理データの中からさらに次の一つの入出庫処理データを読み出して、送信元の管理装置制御部２５に送信する。
【０１２５】
つまり、出納機２は、一つの入出庫処理データに対して現金管理装置４の管理装置操作表示部１６に非指定操作が入力されると、次の一つの入出庫処理データをこの現金管理装置４に送信することを順次行うことになり、現金管理装置４は、その管理装置操作表示部１６で指定操作入力がなされた入出庫処理データに基づいて貨幣の入出庫処理が可能となる。
【０１２６】
そして、管理装置制御部２５は、入出庫処理が終了すると、管理装置操作表示部１６への入出庫処理データの表示を終了すると共に、処理が終了した入出庫処理データを出納機２の出納機制御部１７７に送信する。すると、出納機２の出納機制御部１７７は、この入出庫処理データを未処理の入出庫処理データから処理済みの入出庫処理データとして出納機記憶部１７９に記憶させる。以上の貨幣の入出庫処理においても、現金管理装置４は、管理装置カードリーダ１７で操作者ＩＤを認証することはない。
【０１２７】
また、第４実施形態の貨幣処理システム１において、一つの現金管理装置４に入出庫処理データを送信可能な出納機２が複数設けられている場合に、カメラ１９１は、撮影画像をすべての出納機２に送信することになる。すると、すべての出納機２の出納機制御部１７７が、カメラ１９１の撮影画像から画像解析処理によって操作者を認識してその操作者ＩＤを特定し、特定された操作者ＩＤに関連付けられた未処理の入出庫処理データを出納機記憶部１７９から読み出すことになる。このような未処理の入出庫処理データがある出納機２は、これらの未処理の入出庫処理データを、所定の順番（例えば登録順）で一つずつ、出納機ＩＤと関連付けて、この操作者ＩＤの操作者がカメラ１９１で撮影されている現金管理装置４に送信する。
【０１２８】
すると、この現金管理装置４の管理装置制御部２５は、この現金管理装置４について以下の制御を行う。
【０１２９】
管理装置制御部２５は、受信した一つの未処理の入出庫処理データを、管理装置操作表示部１６に表示させると共に、この管理装置操作表示部１６に、この未処理の入出庫処理データに指定操作入力および非指定操作入力のいずれかの選択操作を促す表示を表示させる。すると、操作者は、管理装置操作表示部１６に、表示された未処理の入出庫処理データについて指定操作入力および非指定操作入力のいずれかを選択して入力する。管理装置操作表示部１６に指定操作入力が入力されると、管理装置制御部２５は、この入出庫処理データを管理装置記憶部２６に記憶させると共に、この入出庫処理データに基づく現金管理装置４からの貨幣の入出庫が可能な状態となる。
【０１３０】
他方、管理装置操作表示部１６に非指定操作入力が入力されると、管理装置制御部２５は、その旨の信号をすべての出納機２に送信する。すると、すべての出納機２は、出納機制御部１７７が、互いに通信して、カメラ１９１の撮影画像から認証された操作者ＩＤに関連付けられた未処理の入出庫処理データの中から、所定の順番で次の一つの入出庫処理データを読み出して、送信元の管理装置制御部２５に送信する。
【０１３１】
すると、管理装置制御部２５は、受信した次の一つの未処理の入出庫処理データを、管理装置操作表示部１６に表示させると共に、この管理装置操作表示部１６に、この未処理の入出庫処理データに指定操作入力および非指定操作入力のいずれかの選択操作を促す表示を表示させる。これを見て、操作者は、管理装置操作表示部１６に、表示された未処理の入出庫処理データについて指定操作入力および非指定操作入力のいずれかを選択して入力する。管理装置操作表示部１６に指定操作入力が入力されると、管理装置制御部２５は、この入出庫処理データを管理装置記憶部２６に記憶させると共に、この入出庫処理データに基づく現金管理装置４からの貨幣の入出庫が可能な状態となる。
【０１３２】
他方、管理装置操作表示部１６に非指定操作入力が入力されると、管理装置制御部２５は、その旨の信号をすべての出納機２に送信する。すると、すべての出納機２は、出納機制御部１７７が、互いに通信して、カメラ１９１の撮影画像から認証された操作者ＩＤに関連付けられた未処理の入出庫処理データの中から、所定の順番でさらに次の一つの入出庫処理データを読み出して、送信元の管理装置制御部２５に送信する。
【０１３３】
つまり、複数の出納機２は、一つの入出庫処理データに対して現金管理装置４の管理装置操作表示部１６に非指定操作が入力されると、次の一つの入出庫処理データをこの現金管理装置４に送信することを順次行うことになり、この現金管理装置４は、管理装置操作表示部１６で指定操作入力がなされた入出庫処理データに基づいて貨幣の入出庫処理が可能となる。なお、すべての入出庫処理データに対して非指定操作が入力されると、管理装置操作表示部１６は、最初の入出庫処理データの指定操作画面に戻る。
【０１３４】
そして、管理装置制御部２５は、入出庫処理を終了すると、管理装置操作表示部１６への入出庫処理データの表示を終了すると共に、処理を終了した入出庫処理データを送信元の出納機２の出納機制御部１７７に送信する。すると、この出納機２の出納機制御部１７７は、この入出庫処理データを未処理の入出庫処理データから処理済みの入出庫処理データとして出納機記憶部１７９に記憶させる。以上の貨幣の入出庫処理においても、現金管理装置４は、管理装置カードリーダ１７で操作者ＩＤを認証することはない。
【０１３５】
以上に述べた第４実施形態の貨幣処理システム１によれば、出納機制御部１７７は、カメラ１９１の撮影画像から画像解析処理によって操作者を認識してその操作者ＩＤを特定すると、当該操作者ＩＤに関連付けられた入出庫処理データが複数ある場合に、これらの入出庫処理データの中から一つの入出庫処理データを現金管理装置４に送信し、この一つの入出庫処理データに対して管理装置操作表示部１６に非指定操作が入力されると、次の一つの入出庫処理データを現金管理装置４に送信することを順次行うことになり、現金管理装置４は、管理装置操作表示部１６で指定操作入力がなされた入出庫処理データに基づいて貨幣の入出庫処理が可能となる。よって、データ作成者が出納機２において複数の貨幣処理データを作成しても、適宜のものを選択して現金管理装置４に入出庫処理させることができる。
【０１３６】
また、一つの現金管理装置４に入出庫処理データを送信可能な出納機２が複数設けられている場合に、複数の出納機２に、カメラ１９１および出納機制御部１７７で特定された一つの操作者ＩＤに関連付けられた入出庫処理データが複数存在する場合がある。その場合、複数の出納機２の出納機制御部１７７は、カメラ１９１の画像から操作者ＩＤを特定すると、当該操作者ＩＤに関連付けられた複数の入出庫処理データの中から一つの入出庫処理データを現金管理装置４に送信し、この一つの入出庫処理データに対して管理装置操作表示部１６に非指定操作が入力されると、次の一つの入出庫処理データを現金管理装置４に送信することを順次行うことになり、現金管理装置４は、管理装置操作表示部１６で指定操作入力がなされた入出庫処理データに基づいて貨幣の入出庫処理が可能となる。よって、データ作成者が複数の出納機２で複数の入出庫処理データを作成しても、適宜のものを選択して現金管理装置４に入出庫処理させることができる。
【０１３７】
第４実施形態の貨幣処理システム１において、指定操作入力および非指定操作入力を、出納機制御部１７７が、カメラ１９１の撮影画像の画像解析処理に基づくモーション判定から割り出して、カメラ１９１で操作者が撮影される現金管理装置４の管理装置制御部２５に入力するようにしても良い。つまり、出納機制御部１７７は、撮影画像から操作者が行う所定の指定操作入力モーションを検出すると指定操作入力が入力されたと判定し、撮影画像から操作者が行う所定の非指定操作入力モーションを検出すると非指定操作入力が入力されたと判定して、それぞれの指令信号を、カメラ１９１で操作者が撮影される現金管理装置４の管理装置制御部２５に送信する。
【０１３８】
第３，第４実施形態の貨幣処理システム１において、一つの現金管理装置４に入出庫処理データを送信可能な出納機２が複数設けられている場合に、複数の出納機２をマスタ＆スレーブの関係として、マスタ側の出納機２でデータを集約して管理することも可能である。その場合、現金管理装置４およびカメラ１９１は、マスタ側の出納機２と通信することになる。また、出納機２とは別のサーバでデータを集約して管理することも可能である。その場合、現金管理装置４およびカメラ１９１は、サーバと通信することになる。
【０１３９】
さらには、第３，第４実施形態の貨幣処理システム１において、一つの現金管理装置４に出納機２が複数設けられている場合に、複数の出納機２をマスタ＆スレーブの関係として、マスタ側の出納機２にすべてのカメラ１９１の撮影画像を送信し、マスタ側の出納機２の出納機制御部１７７がカメラ１９１の撮影画像から画像解析処理によって操作者を認識してその操作者ＩＤを特定し、この特定した操作者ＩＤをスレーブ側の出納機２にも送信して、マスタ側の出納機２のみならず、スレーブ側の出納機２において特定された操作者ＩＤに関連付けられた未処理の入出庫処理データを出納機記憶部１７９から読み出ことになる。また、出納機２とは別のサーバでカメラ１９１の撮影画像から画像解析処理によって操作者を認識してその操作者ＩＤを特定することも可能である。その場合、現金管理装置４およびカメラ１９１は、サーバと通信することになる。
【０１４０】
加えて、出納機２とは別のサーバは、入出庫処理データを集約して管理しつつ、すべてのカメラ１９１の撮影画像を受信して、それぞれの現金管理装置４を操作する操作者を認識してその操作者ＩＤを特定することも可能である。
【符号の説明】
【０１４１】
１  貨幣処理システム
２  出納機（データ作成装置）
４  現金管理装置（貨幣処理装置）
１６  管理装置操作表示部（選択操作手段，指定操作手段）
１７５  出納機操作表示部（操作入力手段）
１７７  出納機制御部（貨幣処理データ作成手段，操作者ＩＤ画像特定手段）
１８１  出納機キー操作部（操作入力手段）
１８２  出納機カードリーダ（操作者ＩＤ認証手段）
１９１  カメラ（撮影手段）
１９２  表示モニタ（モニタ手段）
【図１】
2017130145.tif 000003
【図２】
2017130145.tif 000004
【図３】
2017130145.tif 000005
【図４】
2017130145.tif 000006
【図５】
2017130145.tif 000007
【図６】
2017130145.tif 000008
【図７】
2017130145.tif 000009
【図８】
2017130145.tif 000010